(57)【要約】【課題】装置全体の小型化を図ること。【解決手段】入金された硬貨を横倒姿勢の状態で搬送する搬送部２０と、搬送部２０により後方に搬送される硬貨の真偽及び金種を鑑別する鑑別部３０とを備えた硬貨検銭装置１ａであって、搬送部２０は、鑑別部３０により正貨と鑑別された硬貨については継続して後方に搬送する一方、鑑別部３０により偽貨と鑑別された硬貨については前方に搬送するものであり、搬送部２０の後端部に設けられ、かつ後端部まで搬送された硬貨を導入して硬貨搬送装置１ｂに案内する案内路５１を形成する案内路形成部５０を備えている。【選択図】図３
2020071707.tif 000002
【特許請求の範囲】
【請求項１】
入金された硬貨を横倒姿勢の状態で搬送する搬送手段と、
前記搬送手段により一方向に搬送される硬貨の真偽及び金種を鑑別する鑑別手段と
を備えた硬貨検銭装置であって、
前記搬送手段は、前記鑑別手段により正貨と鑑別された硬貨については継続して前記一方向に搬送する一方、前記鑑別手段により偽貨と鑑別された硬貨については前記一方向と反対側の他方向に搬送するものであり、
前記搬送手段の前記一方向の搬送端部に設けられ、かつ該搬送端部まで搬送された硬貨を導入して下流側の所定領域に案内する案内路を形成する案内路形成部を備えたことを特徴とする硬貨検銭装置。
【請求項２】
前記搬送手段は、
前後一対となる態様で設けられた搬送プーリと、
前記搬送プーリ間に無端状に張設された搬送ベルトと、
前記搬送ベルトに取り付けられ、かつ該搬送ベルトの変位に応じて前記入金された硬貨を横倒姿勢の状態で後方に搬送するとともに、前記鑑別手段により偽貨と鑑別された硬貨を横倒姿勢の状態で前方に搬送する搬送部材と
を備えたことを特徴とする請求項１に記載の硬貨検銭装置。
【請求項３】
前記搬送ベルトは、前記搬送プーリ間に左右一対となる態様で無端状に張設され、
前記搬送部材は、左右両端部が前記搬送ベルトに取り付けられており、かつ前記搬送ベルトの変位により搬送対象となる硬貨を押圧する面がＶ字状を成すことを特徴とする請求項２に記載の硬貨検銭装置。
【請求項４】
前記鑑別手段の近傍に設けられた偽貨通過口を開閉する態様で設置され、かつ常態においては、前記偽貨通過口を閉成する一方、前記鑑別手段により硬貨が偽貨と鑑別された場合には、前記偽貨通過口を開成して前記搬送手段により搬送された該硬貨が該偽貨通過口を通過することを許容する偽貨送出フラッパを備えたことを特徴とする請求項１に記載の硬貨検銭装置。
【請求項５】
前記案内路を臨む態様で自身の中心軸回りに回転可能に設けられ、前記搬送手段と共通の駆動源から駆動力が付与されて回転することにより、該案内路に導入された硬貨を前記所定領域に案内する案内回転体を備えたことを特徴とする請求項１に記載の硬貨検銭装置。
【発明の詳細な説明】
【技術分野】
【０００１】
本発明は、硬貨検銭装置に関し、より詳細には、入金された硬貨を金種毎に収納する一方、出金指示により収納する硬貨を払い出す硬貨処理機に適用される硬貨検銭装置に関するものである。
【背景技術】
【０００２】
従来、入金された硬貨を金種毎に収納する一方、出金指示により収納する硬貨を払い出す硬貨処理機に適用される硬貨検銭装置として、搬送手段、鑑別部、送出フラッパ、偽貨貫通孔を備えたものが知られている。
【０００３】
搬送手段は、前後一対となる態様で設けられた搬送プーリに搬送ベルトが無端状に張設されており、該搬送ベルトに取り付けられた搬送部材が搬送ベルトの変位に応じて変位することで硬貨を後方、あるいは前方に搬送するものである。鑑別部は、搬送手段により後方に向けて搬送される硬貨が所定の鑑別領域を通過する際に、該硬貨の真偽及び金種を鑑別するものである。送出フラッパは、前後一対のプーリ間において、鑑別部の後方に設けられた送出口を開閉するものであり、常態においては、送出口を閉成している。偽貨貫通孔は、前後一対のプーリ間において、送出口の後方側に形成された孔部である。
【０００４】
そのような硬貨検銭装置では、搬送プーリの回転により搬送ベルトが変位し、入金された硬貨を後方に向けて搬送し、鑑別部による鑑別が行われる。かかる鑑別部により硬貨が正貨であると鑑別された場合、硬貨検銭装置は、送出フラッパを駆動させて送出口を開成させ、送出口を通じて硬貨を下流側の所定領域に案内させる。その一方、鑑別部により硬貨が偽貨であると鑑別された場合、硬貨検銭装置は、送出フラッパによる送出口の閉成を維持させ、偽貨貫通孔まで硬貨を後方に向けて搬送し、該偽貨貫通孔を通過させる。そして、硬貨検銭装置は、偽貨貫通孔を通過した硬貨を、搬送ベルトの変位に伴って変位する搬送部材により前方に向けて搬送させ、所定の払出部に送出して外部に払い出させる（例えば、特許文献１参照）。
【先行技術文献】
【特許文献】
【０００５】
【特許文献１】特開２０１８−９２６０９号公報
【発明の概要】
【発明が解決しようとする課題】
【０００６】
ところで、上述した特許文献１に提案された硬貨検銭装置では、前後一対のプーリ間において、鑑別部、送出口及び偽貨貫通孔が設けられているので、前後方向の長さを十分に確保する必要があり、結果的に装置全体の小型化を図ることが困難であった。
【０００７】
本発明は、上記実情に鑑みて、装置全体の小型化を図ることができる硬貨検銭装置を提供することを目的とする。
【課題を解決するための手段】
【０００８】
上記目的を達成するために、本発明に係る硬貨検銭装置は、入金された硬貨を横倒姿勢の状態で搬送する搬送手段と、前記搬送手段により一方向に搬送される硬貨の真偽及び金種を鑑別する鑑別手段とを備えた硬貨検銭装置であって、前記搬送手段は、前記鑑別手段により正貨と鑑別された硬貨については継続して前記一方向に搬送する一方、前記鑑別手段により偽貨と鑑別された硬貨については前記一方向と反対側の他方向に搬送するものであり、前記搬送手段の前記一方向の搬送端部に設けられ、かつ該搬送端部まで搬送された硬貨を導入して下流側の所定領域に案内する案内路を形成する案内路形成部を備えたことを特徴とする。
【０００９】
また本発明は、上記硬貨検銭装置において、前記搬送手段は、前後一対となる態様で設けられた搬送プーリと、前記搬送プーリ間に無端状に張設された搬送ベルトと、前記搬送ベルトに取り付けられ、かつ該搬送ベルトの変位に応じて前記入金された硬貨を横倒姿勢の状態で後方に搬送するとともに、前記鑑別手段により偽貨と鑑別された硬貨を横倒姿勢の状態で前方に搬送する搬送部材とを備えたことを特徴とする。
【００１０】
また本発明は、上記硬貨検銭装置において、前記搬送ベルトは、前記搬送プーリ間に左右一対となる態様で無端状に張設され、前記搬送部材は、左右両端部が前記搬送ベルトに取り付けられており、かつ前記搬送ベルトの変位により搬送対象となる硬貨を押圧する面がＶ字状を成すことを特徴とする。
【００１１】
また本発明は、上記硬貨検銭装置において、前記鑑別手段の近傍に設けられた偽貨通過口を開閉する態様で設置され、かつ常態においては、前記偽貨通過口を閉成する一方、前記鑑別手段により硬貨が偽貨と鑑別された場合には、前記偽貨通過口を開成して前記搬送手段により搬送された該硬貨が該偽貨通過口を通過することを許容する偽貨送出フラッパを備えたことを特徴とする。
【００１２】
また本発明は、上記硬貨検銭装置において、前記案内路を臨む態様で自身の中心軸回りに回転可能に設けられ、前記搬送手段と共通の駆動源から駆動力が付与されて回転することにより、該案内路に導入された硬貨を前記所定領域に案内する案内回転体を備えたことを特徴とする。
【発明の効果】
【００１３】
本発明によれば、搬送手段は、鑑別手段により正貨と鑑別された硬貨については継続して一方向に搬送する一方、鑑別手段により偽貨と鑑別された硬貨については一方向と反対側の他方向に搬送するものであり、搬送手段の一方向の搬送端部に設けられた案内路形成部は、搬送端部まで搬送された硬貨を導入して下流側の所定領域に案内する案内路を形成するので、搬送手段における搬送長さの短縮化を図ることができ、装置全体の小型化を図ることができるという効果を奏する。
【図面の簡単な説明】
【００１４】
【図１】図１は、本発明の実施の形態である硬貨検銭装置が適用された硬貨処理機の内部構造を示す斜視図である。
【図２】図２は、図１に示した硬貨検銭装置、すなわち本実施の形態である硬貨検銭装置を示す斜視図である。
【図３】図３は、図２に示した硬貨検銭装置の一部の構成要素を省略して示す斜視図である。
【図４】図４は、図３に示した硬貨検銭装置の一部の構成要素を省略して示す斜視図である。
【図５】図５は、図３に示した硬貨検銭装置の要部を示す平面図である。
【図６】図６は、図３に示した硬貨検銭装置の要部を示す底面図である。
【図７】図７は、図２及び図３に示した案内部材及びその周辺構造を模式的に示す側面図である。
【図８】図８は、図２及び図３に示した案内部材及びその周辺構造を模式的に示す側面図である。
【図９】図９は、図３〜図５に示した案内路形成部を拡大して示す斜視図である。
【発明を実施するための形態】
【００１５】
以下に添付図面を参照して、本発明に係る硬貨検銭装置の好適な実施の形態について詳細に説明する。
【００１６】
図１は、本発明の実施の形態である硬貨検銭装置が適用された硬貨処理機の内部構造を示す斜視図である。ここで例示される硬貨処理機１は、例えば釣銭機として適用されるものであり、入金された硬貨を金種毎に収納する一方、出金指示により収納する硬貨を払い出すものである。このような硬貨処理機１は、硬貨検銭装置１ａ及び硬貨搬送装置１ｂを備えて構成してある。
【００１７】
硬貨検銭装置１ａは、入金部２を通じて入金された硬貨の真偽及び金種を鑑別するものである。入金部２は、図１に示すように、硬貨投入口２ａを有しており、硬貨が入金される部分である。かかる硬貨検銭装置１ａの構成については後述する。
【００１８】
硬貨搬送装置１ｂは、硬貨検銭装置１ａで真偽及び金種が鑑別された硬貨（正貨）を搬送し、その搬送途中で該硬貨の金種を判別するとともに、該硬貨を金種毎に振り分けて硬貨収納部３に送出するものである。ここで、硬貨収納部３は、硬貨搬送装置１ｂで振り分けられた硬貨を金種毎に収納するものであり、出金指示が与えられた場合には、該当する硬貨を出金部４に送出して、該出金部４を通じて外部に払い出させるものである。
【００１９】
図２は、図１に示した硬貨検銭装置１ａ、すなわち本実施の形態である硬貨検銭装置１ａを示す斜視図であり、図３は、図２に示した硬貨検銭装置１ａの一部の構成要素を省略して示す斜視図であり、図４は、図３に示した硬貨検銭装置１ａの一部の構成要素を省略して示す斜視図である。
【００２０】
硬貨検銭装置１ａは、図２〜図４に示すように、分離部１０と、搬送部（搬送手段）２０と、鑑別部（鑑別手段）３０と、案内部材４０と、案内路形成部５０とを備えて構成してある。
【００２１】
分離部１０は、入金部２を通じて入金されて搬送された硬貨を搬送部２０に１枚ずつ分離させた状態で送出するものである。尚、本明細書においては、分離部１０は特徴的な構成要素ではないため、かかる分離部１０の説明を割愛する。
【００２２】
図５及び図６は、それぞれ図３に示した硬貨検銭装置１ａの要部を示すものであり、図５は平面図であり、図６は底面図である。これら図５及び図６にも示すように、搬送部２０は、搬送プーリ２１と、搬送ベルト２２と、搬送部材２３と、ガイド部材２４と、偽貨送出フラッパ２５とを備えて構成してある。
【００２３】
搬送プーリ２１は、前後一対となる態様で設置してある。前方側の搬送プーリ２１ａは、搬送モータ２１ｃの出力軸に連係ギアユニット２１ｄを介して連係してある。この搬送モータ２１ｃは、制御部６０から駆動指令が与えられることにより駆動し、該制御部６０から駆動停止指令が与えられることにより駆動停止するものである。
【００２４】
ここで制御部６０は、図示せぬメモリに記憶されたプログラムやデータにしたがって硬貨検銭装置１ａの動作を統括的に制御するものである。かかる制御部６０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００２５】
上記前方側の搬送プーリ２１ａは、搬送モータ２１ｃの駆動により、自身の中心軸を軸心としてその軸心回りに回転する駆動プーリである。かかる前方側の搬送プーリ２１ａは、搬送モータ２１ｃの駆動力が付与されることにより、左方から見て反時計回りの方向に回転する。
【００２６】
搬送ベルト２２は、左右一対となる左側の搬送ベルト２２Ｌと右側の搬送ベルト２２Ｒとを有して構成してある。これら搬送ベルト２２は、それぞれ搬送プーリ２１間に無端状に張設してある。このような搬送ベルト２２は、搬送モータ２１ｃの駆動によって前方側の搬送プーリ２１ａが回転することにより、その延在方向に沿って変位する。より詳細に説明すると、搬送ベルト２２は、前方側の搬送プーリ２１ａが回転することにより、上方部分が後方に向かいつつ下方部分が前方に向かう態様で変位する。
【００２７】
かかる搬送ベルト２２を介して前方側の搬送プーリ２１ａに連係される後方側の搬送プーリ２１ｂは、該後方側の搬送プーリ２１ｂの回転により、自身の中心軸を軸心として左方から見て反時計回りに回転する。つまり、後方側の搬送プーリ２１ｂは、前方側の搬送プーリ２１ａの回転に応じて回転する従動プーリである。
【００２８】
搬送部材２３は、複数設けられており、それぞれが左右一対の搬送ベルト２２を跨る態様で、該搬送ベルト２２の延在方向に沿って等間隔となる態様で設けてある。このような搬送部材２３は、右端部に設けられた右端凹凸部２３ａが右側の搬送ベルト２２Ｒの外面に設けられた右側凹凸部２２ａに嵌合するとともに、左端部に設けられた左端凹凸部２３ｂが左側の搬送ベルト２２Ｌの外面に設けられた左側凹凸部２２ｂに嵌合することにより、左右一対の搬送ベルト２２を跨る態様で固定されている。これにより、搬送部材２３は、搬送ベルト２２の変位に応じて該搬送ベルト２２の延在方向に沿って変位するものである。
【００２９】
かかる搬送部材２３は、搬送ベルト２２の変位方向の下流側を臨む面２３ｃ、すなわち、搬送ベルト２２の上方部分では後方を臨む面２３ｃであり搬送ベルト２２の下方部分では前方を臨む面２３ｃがＶ字状を成している。つまり、搬送部材２３は、搬送ベルト２２の変位方向の下流側を臨む面２３ｃにおいて、左方に向かうに連れて該変位方向の上流側に傾斜する面と、右方に向かうに連れて該変位方向の上流側に傾斜する面とが中央部分で連続することでＶ字状を成している。
【００３０】
また搬送部材２３の左右両端部においては、湾曲面２３ｄが構成してある。より詳細に説明すると、搬送部材２３の左端部においては、左端凹凸部２３ｂが形成された面と反対側の面、すなわち左側の搬送ベルト２２Ｌの外面に接する面と反対側の面が外方に突となる湾曲状を成すことにより湾曲面２３ｄが構成してある。また搬送部材２３の右端部においては、右端凹凸部２３ａが形成された面と反対側の面、すなわち右側の搬送ベルト２２Ｒの外面に接する面と反対側の面が外方に突となる湾曲状を成すことにより湾曲面２３ｄが構成してある。
【００３１】
ガイド部材２４は、搬送装置本体を構成するものであり、左右一対となる左側ガイド部材２４Ｌと右側ガイド部材２４Ｒとを有して構成してある。左側ガイド部材２４Ｌは、左側ガイド基部２４１ａと、左側ガイド規制部２４２ａとを有している。
【００３２】
左側ガイド基部２４１ａは、左側の搬送ベルト２２Ｌの左側に配置されており、該左側の搬送ベルト２２Ｌの左方を覆うものである。尚、左側ガイド基部２４１ａには、適宜開口が形成されている。左側ガイド規制部２４２ａは、左側の搬送ベルト２２Ｌの外面に対向する態様で左側ガイド基部２４１ａに一体的に設けてある。つまり、左側ガイド部材２４Ｌは、左側の搬送ベルト２２Ｌの外面に一部が対向した状態で該左側の搬送ベルト２２Ｌを囲繞するよう設けてある。
【００３３】
かかる左側ガイド部材２４Ｌは、左側ガイド基部２４１ａにより搬送部材２３が左側の搬送ベルト２２Ｌに対して左方に移動して該搬送ベルト２２から離脱することを規制するとともに、左側ガイド規制部２４２ａにより搬送部材２３が左側の搬送ベルト２２Ｌに対して上方、下方、前方及び後方のいずれかに移動して該搬送ベルト２２から離脱することを規制するものである。
【００３４】
右側ガイド部材２４Ｒは、右側ガイド基部２４１ｂと、右側ガイド規制部２４２ｂとを有している。右側ガイド基部２４１ｂは、右側の搬送ベルト２２Ｒの右側に配置されており、該右側の搬送ベルト２２Ｒの右方を覆うものである。尚、右側ガイド基部２４１ｂには、適宜開口が形成されている。右側ガイド規制部２４２ｂは、右側の搬送ベルト２２Ｒの外面に対向する態様で右側ガイド基部２４１ｂに一体的に設けてある。つまり、右側ガイド部材２４Ｒは、右側の搬送ベルト２２Ｒの外面に一部が対向した状態で該右側の搬送ベルト２２Ｒを囲繞するよう設けてある。
【００３５】
かかる右側ガイド部材２４Ｒは、右側ガイド基部２４１ｂにより搬送部材２３が右側の搬送ベルト２２Ｒに対して右方に移動して該搬送ベルト２２から離脱することを規制するとともに、右側ガイド規制部２４２ｂにより搬送部材２３が右側の搬送ベルト２２Ｒに対して上方、下方、前方及び後方のいずれかに移動して該搬送ベルト２２から離脱することを規制するものである。
【００３６】
偽貨送出フラッパ２５は、図４及び図５に示すように、左右一対の搬送ベルト２２間に設けられた搬送基部２７に設けてある。より詳細には、偽貨送出フラッパ２５は、搬送基部２７に形成された偽貨通過口２６の前側縁部に揺動可能に設けてある。ここで偽貨通過口２６は、硬貨の通過を許容する十分な大きさを有している。この偽貨通過口２６を通過した硬貨は、ガイド部材２４とともに搬送装置本体を構成する底部２０ａ１（図２参照）に載置される。
【００３７】
このような偽貨送出フラッパ２５は、常態においては、図７に示すように偽貨通過口２６を硬貨が通過することを規制する態様で閉成するものである。そして、図８に示すように、フラッパ駆動機構２８が駆動することにより、偽貨送出フラッパ２５は、開く方向に揺動して偽貨通過口２６を開成するものである。ここで、フラッパ駆動機構２８は、制御部６０から駆動指令が与えられることにより駆動して偽貨送出フラッパ２５を開く方向に揺動させ、該制御部６０から駆動停止指令が与えられることにより駆動停止して、偽貨送出フラッパ２５が偽貨通過口２６を閉成することを許容するものである。
【００３８】
鑑別部３０は、図２、図３及び図５に示したように、分離部１０よりも後方側であって偽貨通過口２６よりも前方側となる個所に設置してある。この鑑別部３０は、搬送部２０により後方に向けて搬送される硬貨が所定の鑑別領域を通過する際に硬貨の特性を検知して該硬貨の真偽及び金種を鑑別し、その鑑別結果を鑑別信号として制御部６０に与えるものである。
【００３９】
案内部材４０は、図２及び図３に示すように、ガイド部材２４及び底部２０ａ１とともに搬送装置本体を構成する天部２０ａ２における偽貨通過口２６の上方部分に設けてある。この案内部材４０は、図７及び図８に示したように、案内軸部４１と案内作用部４２とを有している。
【００４０】
案内軸部４１は、左右方向に沿って延在する円柱状部材である。案内作用部４２は、案内軸部４１の径方向外部に向けて、より詳細には、後方に向けて延在する部位である。
【００４１】
このような案内部材４０は、案内作用部４２が天部２０ａ２に形成された案内開口２０ａ３（図２及び図３参照）を通過する態様で、案内軸部４１が該天部２０ａ２に設けられた案内支持片２０ａ４に架設されることにより、案内軸部４１の中心軸回りに揺動可能に設けてある。
【００４２】
より詳細に説明すると、案内部材４０は、案内作用部４２の下端部分が搬送部２０により後方に向けて搬送される硬貨の通過領域に進退移動する態様で揺動可能に設けてあり、常態においては、案内作用部４２の下端部分が通過領域に進出移動した姿勢となっている。かかる案内部材４０は、偽貨送出フラッパ２５により偽貨通過口２６が閉成されている場合には、通過領域を通過する硬貨に押圧されて該通過領域から退行移動する態様で揺動することにより該硬貨が後方へ通過することを許容する一方、偽貨送出フラッパ２５により偽貨通過口２６が開成されている場合には、該通過領域を通過する硬貨に当接して該硬貨を偽貨通過口２６に案内するものである。
【００４３】
案内路形成部５０は、図４及び図５に示すように、搬送部２０を構成する後方側の搬送プーリ２１ｂの後方に設けてある。この案内路形成部５０は、搬送部２０の一方向の搬送端部となる後端部に連続する案内路５１を備えている。案内路５１は、搬送部２０の後端部から離隔するに連れて右方に湾曲しながら漸次下方に傾斜しており、搬送部２０により後端部まで搬送された硬貨を導入して下流側の所定領域である硬貨搬送装置１ｂに案内するものである。
【００４４】
そのような案内路形成部５０には、図９に示すように、案内路５１を臨む態様で案内回転体５２が設けてある。案内回転体５２は、前後方向に沿って延在する案内回転軸５２１と、この案内回転軸５２１に一体的に設けられた複数（図示の例では２つ）の羽根部５２２とを有しており、案内回転軸５２１の中心軸回りに回転可能なものである。
【００４５】
かかる案内回転体５２は、案内回転軸５２１が回転伝達ユニット５３を介して後方側の搬送プーリ２１ｂに連係している。回転伝達ユニット５３は、後方側の搬送プーリ２１ｂの回転力を案内回転軸５２１に伝達するものである。
【００４６】
これにより案内回転体５２は、後方側の搬送プーリ２１ｂが回転する場合に、後方側から見て時計回りに回転するものである。つまり、案内回転体５２は、搬送部２０と共通の駆動源（搬送モータ２１ｃ）から駆動力が付与されて回転するものであり、回転することにより、案内路５１に導入された硬貨を硬貨搬送装置１ｂに案内するものである。
【００４７】
以上のような構成を有する硬貨検銭装置１ａにおいては、入金部２を通じて複数の硬貨が入金されて、硬貨処理機１の動作を統括的に制御する図示せぬ硬貨処理主制御部から制御部６０に動作指令が与えられることにより、制御部６０が搬送モータ２１ｃに対して駆動指令を与える。
【００４８】
これにより搬送モータ２１ｃが駆動し、搬送部２０では、搬送プーリ２１が左方から見て反時計回りに回転することにより、搬送ベルト２２が延在方向に沿って変位する。このように搬送プーリ２１が回転することにより、案内回転体５２も後方から見て時計回りの方向に回転する。一方、入金部２を通じて入金された硬貨は、分離部１０にて１枚ずつ分離させた状態で搬送部２０に供給される。
【００４９】
搬送部２０に供給された硬貨は、搬送基部２７の上面に横倒姿勢の状態で載置される。上述したように搬送ベルト２２がその延在方向に変位しているので、該搬送ベルト２２に固定された搬送部材２３が、搬送基部２７の上面に載置された硬貨を後方に向けて押圧して該硬貨を後方に向けて搬送する。
【００５０】
ここで搬送部材２３は、搬送ベルト２２の変位方向の下流側を臨む面２３ｃがＶ字状を成しているので、図５に示すように、該下流側を臨む面２３ｃが搬送ベルト２２の変位より硬貨を押圧する面となり、硬貨を左右方向の中央部分に寄せた状態で後方に向けて搬送することができる。
【００５１】
このようにして搬送部材２３により押圧された状態で硬貨を後方に向けて搬送し、搬送される硬貨が鑑別部３０による鑑別領域に至ると、該鑑別部３０が硬貨の真偽及び金種を鑑別する。この鑑別部３０は、鑑別結果を鑑別信号として制御部６０に送出する。
【００５２】
制御部６０は、鑑別部３０からの鑑別信号を入力し、その鑑別結果が正貨である場合、フラッパ駆動機構２８に対して駆動指令を与えずに、偽貨送出フラッパ２５による偽貨通過口２６の閉成を維持させる。
【００５３】
これにより、鑑別領域を通過して搬送部材２３により押圧された状態で後方に搬送される硬貨は、図７に示したように偽貨送出フラッパ２５の上面を通過し、後端部（搬送端部）まで搬送される。このように後端部まで搬送された硬貨は、案内路５１に導入され、案内路５１の傾斜、並びに案内回転体５２の回転により硬貨搬送装置１ｂに案内される。
【００５４】
一方、制御部６０は、鑑別部３０からの鑑別信号を入力し、その鑑別結果が偽貨である場合、フラッパ駆動機構２８に対して駆動指令を与える。これにより、フラッパ駆動機構２８が駆動し、偽貨送出フラッパ２５は、開く方向に揺動して偽貨通過口２６を開成する。このように偽貨送出フラッパ２５が偽貨通過口２６を開成すると、鑑別領域を通過して搬送部材２３により押圧された状態で後方に搬送される硬貨は、案内部材４０に当接して姿勢を変化させながら、偽貨通過口２６を通過して下方に落下する。このようにして下方に落下した硬貨は、搬送装置本体の底部２０ａ１に横倒姿勢で載置される。
【００５５】
ところで、搬送プーリ２１の回転により、搬送ベルト２２の下方部分は前方に向かって変位している。そのため、搬送部２０の下方では、図６に示すように、搬送ベルト２２に固定された搬送部材２３が前方に向けて移動しているので、上記底部２０ａ１に載置された硬貨を搬送部材２３が前方に向けて押圧した状態で搬送することができる。このとき、搬送部材２３は、搬送ベルト２２の変位方向の下流側を臨む面２３ｃがＶ字状を成しているので、硬貨を左右方向の中央部分に寄せた状態で後方に向けて搬送することができる。
【００５６】
このようにして、搬送部２０は、前方に向けて搬送した硬貨（偽貨）を図示せぬ払出ユニットに送出する。払出ユニットは、自身に払い出された硬貨を出金部４に送出して、該出金部４に設けられた硬貨払出口４ａ（図１参照）より外部に払い出させるものである。
【００５７】
偽貨と鑑別された硬貨が偽貨通過口２６を通過した後、制御部６０は、フラッパ駆動機構２８に駆動停止指令を与える。これにより、偽貨通過口２６は偽貨送出フラッパ２５に閉成される。
【００５８】
以上説明したように、硬貨検銭装置１ａは、入金部２を通じて入金された硬貨の真偽及び金種を鑑別し、正貨と鑑別された硬貨については、硬貨搬送装置１ｂに送出する一方、偽貨と鑑別された硬貨については、出金部４を通じて外部に払い出させている。
【００５９】
そして、このような硬貨検銭装置１ａによれば、搬送部２０が、入金された硬貨を横倒姿勢の状態で後方に搬送するとともに、鑑別部３０により偽貨と鑑別された硬貨を横倒姿勢の状態で前方に搬送し、しかも搬送部２０の後端部に設けられた案内路形成部５０が、後端部まで搬送された硬貨を導入して硬貨搬送装置１ｂに案内する案内路５１を形成しているので、搬送部２０の前後方向の長さの短縮化を図ることができる。従って、装置全体の小型化を図ることができる。
【００６０】
上記硬貨検銭装置１ａによれば、案内路５１を臨む態様で案内回転軸５２１の中心軸回りに回転可能に設けられた案内回転体５２が、搬送部２０と共通の駆動源から駆動力が付与されて回転することにより、案内路５１に導入された硬貨を硬貨搬送装置１ｂに案内するので、案内路５１に導入され硬貨を良好に硬貨搬送装置１ｂに送出することができるとともに、一旦硬貨搬送装置１ｂに送出された硬貨が硬貨検銭装置１ａに逆流してしまうことを防止することができる。
【００６１】
上記硬貨検銭装置１ａによれば、搬送部２０を構成する搬送部材２３は、搬送ベルト２２の変位により硬貨を押圧する面がＶ字状を成しているので、硬貨を左右方向の中央部分に寄せた状態で搬送することができ、これにより、硬貨の搬送位置を制限した状態で硬貨の搬送を安定的に行うことができるとともに、鑑別部３０による鑑別精度の向上を図ることができる。
【００６２】
以上、本発明の好適な実施の形態について説明したが、本発明はこれに限定されるものではなく、種々の変更を行うことができる。
【００６３】
上述した実施の形態では、案内路形成部５０の案内路５１を臨む態様で案内回転体５２が設けられていたが、本発明においては、案内回転体が設けられていなくてもよい。
【符号の説明】
【００６４】
１ａ  硬貨検銭装置
２  入金部
１０  分離部
２０  搬送部
２１  搬送プーリ
２２  搬送ベルト
２３  搬送部材
２４  ガイド部材
２５  偽貨送出フラッパ
２６  偽貨通過口
３０  鑑別部
４０  案内部材
５０  案内路形成部
５１  案内路
５２  案内回転体
６０  制御部
【図１】
2020071707.tif 000003
【図２】
2020071707.tif 000004
【図３】
2020071707.tif 000005
【図４】
2020071707.tif 000006
【図５】
2020071707.tif 000007
【図６】
2020071707.tif 000008
【図７】
2020071707.tif 000009
【図８】
2020071707.tif 000010
【図９】
2020071707.tif 000011